(57)【要約】【課題】  ライン側Ｉ／Ｆの伝送速度を制御可能な光伝送装置において、対象となるリンクをプロテクション可能にするとともに、リンクの利用効率を向上させる技術を提供する。【解決手段】本発明の光伝送装置１００は、第１のリンク（リンク１５１）における障害の発生を検出すると、第１のリンクで送受信するライン信号に収容していたクライアント信号が、第２のリンク（リンク１５２）で送受信するライン信号に収容可能となるよう、ライン側Ｉ／Ｆ １１２の伝送速度を制御する。更に、光伝送装置１００は、当該クライアント信号が、ライン側Ｉ／Ｆ １１２で送受信するライン信号に収容されるよう、当該クライアント信号を処理するライン側Ｉ／Ｆを、ライン側Ｉ／Ｆ １１１からライン側Ｉ／Ｆ １１２へ切り替える。【選択図】図１
2014199994.tif 000002
【特許請求の範囲】
【請求項１】
第１のライン側インタフェース（Ｉ／Ｆ）に接続された第１のリンクと、前記第１のリンクと並列に設けられ、第２のライン側Ｉ／Ｆに接続された第２のリンクとを介して、ライン側の対向装置と通信可能な光伝送装置であって、
クライアント側Ｉ／Ｆを介して送受信される少なくとも１つのクライアント信号を収容したライン信号を前記対向装置との間で送受信するために、前記第１のリンクを使用している間に、前記第１のリンクにおける障害の発生を検出する検出手段と、
前記検出手段によって前記第１のリンクにおける障害の発生が検出されると、前記第１のリンクで送受信するライン信号に収容していたクライアント信号が、前記第２のリンクで送受信するライン信号に収容可能となるよう、前記第２のライン側Ｉ／Ｆの伝送速度を制御するとともに、前記第２のライン側Ｉ／Ｆで送受信するライン信号に前記クライアント信号が収容されるよう、前記第１のライン側Ｉ／Ｆから前記第２のライン側Ｉ／Ｆへ、前記クライアント信号を処理するライン側Ｉ／Ｆの切り替えを行う制御手段と
を備えることを特徴とする光伝送装置。
【請求項２】
前記第１のリンクは、前記対向装置への送信用のリンクと、前記対向装置からの受信用のリンクとを含み、
前記検出手段は、
前記受信用のリンクにおける障害の発生を検出すると、前記第１のリンクにおいて障害が発生したと判定するとともに、前記第１のリンクにおいて障害の発生を検出したことを示す障害検出情報を、前記送信用のリンクを介して前記対向装置に送信することを特徴とする請求項１に記載の光伝送装置。
【請求項３】
前記検出手段は、
前記送信用のリンクにおいて障害が発生したことが前記対向装置によって検出されたことに応じて当該対向装置から前記受信用のリンクを介して前記障害検出情報を受信すると、前記第１のリンクにおいて障害が発生したと判定することを特徴とする請求項２に記載の光伝送装置。
【請求項４】
前記制御手段は、
前記第２のライン側Ｉ／Ｆの伝送速度を、当該第２のライン側Ｉ／Ｆが送受信するライン信号に収容することになる各クライアント信号の伝送速度の総和以上の伝送速度に設定することを特徴とする請求項１乃至３のいずれか１項に記載の光伝送装置。
【請求項５】
前記制御手段は、
前記伝送速度の総和が、前記第２のライン側Ｉ／Ｆに対して予め定められた最大伝送速度を上回る場合には、前記切り替えを行うことなく、前記第２のライン側Ｉ／Ｆの伝送容量が不足していることを示す警報を外部に出力することを特徴とする請求項４に記載の光伝送装置。
【請求項６】
前記伝送速度の総和は、
前記第１のリンクにおける障害の発生が検出された際に前記第２のライン側Ｉ／Ｆが送受信するライン信号に収容されていたクライアント信号の伝送速度と、前記切り替えによって前記ライン信号に新たに収容することが必要となるクライアント信号の伝送速度との総和であることを特徴とする請求項４または５に記載の光伝送装置。
【請求項７】
前記伝送速度の総和は、
前記第２のライン側Ｉ／Ｆが送受信するライン信号に収容することが必要となる各クライアント信号を、対応する各クライアント側Ｉ／Ｆがクライアント側の対向装置との間で送受信する際の伝送速度の総和であることを特徴とする請求項４乃至６のいずれか１項に記載の光伝送装置。
【発明の詳細な説明】
【技術分野】
【０００１】
本発明は、光通信分野において、光伝送装置で構成された光ネットワークにおけるプロテクションに関する。
【背景技術】
【０００２】
近年、光ネットワークにおいては、ネットワークの信頼性を向上させるための技術として、光ネットワークプロテクション技術が広く利用されている。このようなプロテクション技術では、一般に、光ネットワークが正常な状態である場合には、プロテクションリンクとして使用されるリンクの帯域が使用されない状態が維持されるため、光ネットワークの帯域利用効率が低下する。
【０００３】
プロテクション技術を適用した光ネットワークにおける帯域利用効率を向上させる技術の１つとして、共有光プロテクション技術（非特許文献１）がある。共有光プロテクション技術では、プロテクションされる複数のリンクを、１つのプロテクションリンクで共有する。このため、同時に複数のリンク上で障害が発生した場合には、それら障害が発生した全てのリンクを１つのプロテクションリンクを用いてプロテクションすることはできないという課題がある。
【０００４】
また、光ネットワークにおける帯域利用効率を向上させる技術の１つとして、近年、信号光の多値度を制御することで、伝送容量（伝送速度）を可変とする伝送技術が提案されている（非特許文献２及び３）。
【先行技術文献】
【非特許文献】
【０００５】
【非特許文献１】Wayne D. Grover,“Mesh-Based Survivable Networks Options and Strategies for Optical, MPLS, SONET, and ATM Networking,”Prentice Hall PTR Pearson Education, Inc. 2004.
【非特許文献２】H. Y. Choi, T. Tsuritani, I. Morita,“Multi-format and multi-rate transmitter for flexible and elastic optical networks,”OECC2012, 6B4-3.
【非特許文献３】Hidehiko Takara, Takashi Goh, Kohki Shibahara, Kazushige Yonenaga, Shingo Kawai, Masahiko Jinno,“EXPERIMENTAL DEMONSTRATION OF 400 GB/S MULTI-FLOW, MULTI-RATE, MULTI-REACH OPTICAL TRANSMITTER FOR EFFICIENT ELASTIC SPECTRAL ROUTING,”ECOC2011, Tu.5.A.4.
【発明の概要】
【発明が解決しようとする課題】
【０００６】
共有光プロテクション技術が有する上述の課題に対処するため、プロテクションリンクに対して、信号光の多値度を制御する伝送技術を適用することによって、プロテクションリンクの伝送容量を拡大することが考えられる。これにより、１つのプロテクションリンクで、複数のリンクのプロテクションを実現できる可能性がある。しかし、運用中のリンクで障害が発生し、使用リンクをプロテクションリンクに切り替える場合には、リンクの切り替えだけでなく、プロテクションリンクの伝送速度を適切に制御する必要がある。
【０００７】
本発明は、上述の課題に鑑みてなされたものである。本発明は、ライン側Ｉ／Ｆの伝送速度を制御可能な光伝送装置において、対象となるリンクをプロテクション可能にするとともに、リンクの利用効率を向上させる技術を提供することを目的としている。
【課題を解決するための手段】
【０００８】
本発明は、例えば光伝送装置として実現できる。本発明の一態様の係る光伝送装置は、第１のライン側インタフェース（Ｉ／Ｆ）に接続された第１のリンクと、前記第１のリンクと並列に設けられ、第２のライン側Ｉ／Ｆに接続された第２のリンクとを介して、ライン側の対向装置と通信可能な光伝送装置であって、クライアント側Ｉ／Ｆを介して送受信される少なくとも１つのクライアント信号を収容したライン信号を前記対向装置との間で送受信するために、前記第１のリンクを使用している間に、前記第１のリンクにおける障害の発生を検出する検出手段と、前記検出手段によって前記第１のリンクにおける障害の発生が検出されると、前記第１のリンクで送受信するライン信号に収容していたクライアント信号が、前記第２のリンクで送受信するライン信号に収容可能となるよう、前記第２のライン側Ｉ／Ｆの伝送速度を制御するとともに、前記第２のライン側Ｉ／Ｆで送受信するライン信号に前記クライアント信号が収容されるよう、前記第１のライン側Ｉ／Ｆから前記第２のライン側Ｉ／Ｆへ、前記クライアント信号を処理するライン側Ｉ／Ｆの切り替えを行う制御手段とを備えることを特徴とする。
【発明の効果】
【０００９】
本発明によれば、ライン側Ｉ／Ｆの伝送速度を制御可能な光伝送装置において、対象となるリンクをプロテクション可能にするとともに、リンクの利用効率を向上させることが可能である。
【図面の簡単な説明】
【００１０】
【図１】本発明の実施形態に係る光伝送装置を適用した光通信システムの概略的な構成を示すブロック図。
【図２】本発明の実施形態に係る光伝送装置における、リンクの障害発生時のプロテクション動作の手順を示すフローチャート。
【図３】実施例１及び２に係る、リンクの障害発生時のプロテクション動作の具体例を示す図。
【図４】実施例３に係る、リンクの障害発生時のプロテクション動作の具体例を示す図。
【発明を実施するための形態】
【００１１】
以下、本発明の例示的な実施形態について図面を参照して説明する。なお、以下の各図においては、実施形態の説明に必要ではない構成要素については図から省略する。
【００１２】
＜光伝送装置の構成＞
まず、図１及び図２を参照して、本発明の実施形態に係る基本概念について説明する。図１は、本発明の実施形態に係る光伝送装置を適用した光通信システムの概略的な構成を示すブロック図である。図１に示す光通信システムでは、光伝送装置１００と光伝送装置２００とが、対向して光伝送路を介して接続されている。本実施形態では、光伝送装置１００及び光伝送装置２００は、同様の構成及び機能を備えるものとする。
【００１３】
光伝送装置１００と光伝送装置２００との間の光伝送路は、リンク１５１（リンク１）と、リンク１５２（リンク２）とで構成される。リンク１，２は、それぞれ双方向の線路を有し、光伝送装置１００と光伝送装置２００との間で並列に設けられている。図１に示すように、リンク１は、リンク１５１ａ，１５１ｂを双方向の線路（リンク対）として有し、リンク２は、リンク１５２ａ，１５２ｂを双方向の線路（リンク対）として有する。なお、リンク１及び２は、それぞれ第１及び第２のリンクの一例であり、光伝送装置１００，２００は、第１のリンクと、第１のリンクと並列に設けられた第２のリンクとを介して、ライン側の対向装置と通信可能な光伝送装置の一例である。
【００１４】
光伝送装置１００は、クライアント側インタフェース（Ｉ／Ｆ）１０１，１０２と、ライン側インタフェース（Ｉ／Ｆ） １１１，１１２と、それらを制御する制御部（図示せず）とを備える。なお、光伝送装置２００は、光伝送装置１００と同様、クライアント側インタフェースＩ／Ｆ ２０１，２０２と、ライン側Ｉ／Ｆ ２１１，２１２と、それらを制御する制御部（図示せず）とを備える。クライアント側Ｉ／Ｆ １０１，１０２は、それぞれ、クライアント側の対応する対向装置（クライアント装置）と接続され、当該対向装置との間でクライアント信号を送受信する。ライン側Ｉ／Ｆ １１１，１１２は、それぞれ、ライン側の対応する対向装置（光伝送装置２００）との間で、光伝送路を介してライン信号を送受信する。
【００１５】
光伝送装置１００は、クライアント側Ｉ／Ｆ １０１，１０２で受信したクライアント信号をライン信号に収容し、当該ライン信号をライン側Ｉ／Ｆ １１１，１１２から送信する。ライン信号は、光伝送路を介して伝送され、光伝送装置２００によって受信される。一方、光伝送装置１００は、光伝送装置２００から光伝送路を介してライン側Ｉ／Ｆ １１１，１１２でライン信号を受信すると、当該ライン信号をクライアント信号に変換し、変換後のクライアント信号をクライアント側Ｉ／Ｆ １０１，１０２からクライアント側へ送信する。
【００１６】
光伝送装置１００の内部では、クライアント側Ｉ／Ｆ １０１，１０２のそれぞれが、ライン側Ｉ／Ｆ １１１またはライン側Ｉ／Ｆ １１２に、切り替え（スイッチング）可能な状態で接続されている。ライン側Ｉ／Ｆ １１１，１１２は、複数のクライアント信号を多重してライン信号に収容する機能を有する。ライン側Ｉ／Ｆ １１１，１１２は、光伝送装置１００の内部で接続されるクライアント側Ｉ／Ｆを介して送受信されるクライアント信号（複数のクライアント側Ｉ／Ｆが接続されていれば複数のクライアント信号）を収容したライン信号を、光伝送装置２００との間で送受信する。
【００１７】
光伝送装置１００（光伝送装置２００も同様。）の制御部は、ライン側Ｉ／Ｆ １１１，１１２の伝送速度を制御可能である。例えば、制御部は、ライン側Ｉ／Ｆ １１１，１１２で送受信するライン信号に収容されるクライアント信号の量に応じて、ライン側Ｉ／Ｆ １１１，１１２の伝送速度を制御する。ライン信号の伝送速度の制御は、ライン信号の多値度（変調多値数）を制御することによって実現できる。
【００１８】
本実施形態では、リンク１，２は、いずれも運用されているリンクであるものとする。また、クライアント側Ｉ／Ｆ １０１はライン側Ｉ／Ｆ １１１に、クライアント側Ｉ／Ｆ １０２はライン側Ｉ／Ｆ １１２に、それぞれ接続されているものとする。この場合、リンク１，２で伝送されるライン信号には、それぞれ、クライアント側Ｉ／Ｆ １０１，１０２に対応するクライアント信号が収容される。なお、リンク１，２のいずれかがプロテクションリンク専用であってもよい。例えば、リンク２がプロテクションリンク専用である場合、光伝送路上で障害が発生していない状態では、クライアント側Ｉ／Ｆ １０１，１０２の両方ともライン側Ｉ／Ｆ １１１に接続される。
【００１９】
本実施形態では、光伝送装置１００は、リンク１，２のいずれか一方で障害が発生した場合、他方のリンクをプロテクションリンクとして使用する。例えば、リンク１で障害が発生した場合、光伝送装置１００は、リンク１に対するプロテクションリンクとしてリンク２を使用する。なお、プロテクションリンクとして使用可能なリンクをいずれかのリンクに予め定めてもよい。
【００２０】
このように、使用リンクでの障害の発生に応じて、光伝送装置１００が使用リンクをプロテクションリンクに（例えばリンク１からリンク２に）切り替える場合、上述のように、プロテクションリンクの伝送速度を適切に制御する必要がある。具体的には、リンク１で障害が発生した場合、ライン側Ｉ／Ｆ １１１に対するクライアント側Ｉ／Ｆ １０１からの接続を、切り替え先のライン側Ｉ／Ｆ １１２で収容できるように、ライン側Ｉ／Ｆ １１２の伝送速度を制御する必要がある。
【００２１】
そこで、本実施形態では、光伝送装置１００（光伝送装置２００も同様。）の制御部は、例えば、リンク１における障害の発生を検出すると、リンク１で送受信するライン信号に収容していたクライアント信号が、リンク２で送受信するライン信号に収容可能となるよう、ライン側Ｉ／Ｆ １１２の伝送速度を制御する。更に、制御部は、当該クライアント信号が、ライン側Ｉ／Ｆ １１２で送受信するライン信号に収容されるよう、当該クライアント信号を処理するライン側Ｉ／Ｆを、ライン側Ｉ／Ｆ １１１からライン側Ｉ／Ｆ １１２へ切り替える。
【００２２】
また、本実施形態では、光伝送装置１００（光伝送装置２００も同様。）は、リンク１，２における受信用のリンク１５１ｂ，１５２ｂにおいて発生する障害を、受信信号光によって検出しうる。一方で、光伝送装置１００は、リンク１，２における送信用のリンク１５１ａ，１５２ａにおいて発生する障害を、自発的に検出することはできない。この場合、リンク１５１ａ，１５２ａにおける受信側となる光伝送装置２００が障害の発生を検出し、障害の発生を検出したことを光伝送装置１００に通知すればよい。
【００２３】
このため、光伝送装置２００（光伝送装置１００も同様。）は、受信用のリンク１５１ａ，１５２ａにおいて受信信号光によって障害の発生を検出した場合、当該リンクにおいて障害の発生を検出したことを示す障害検出情報を、送信用のリンク１５１ｂ，１５２ｂを介して、対向する光伝送装置１００に送信する。これにより、光伝送装置１００は、対向する光伝送装置２００から受信した障害検出情報に基づいて、リンク１，２における障害の発生を判定し、障害が発生したリンクを特定する。
【００２４】
なお、送信用及び受信用のリンクの両方で同時に障害が発生した場合には、光伝送装置１００，２００は、それぞれ受信用のリンクにおいて受信信号光によってその障害の発生を検出できる。
【００２５】
＜光伝送装置における動作手順＞
次に、図２を参照して、本発明の実施形態に係る光伝送装置１００，２００における、リンクの障害発生時にプロテクションを行うための動作（プロテクション動作）について説明する。なお、以下では光伝送装置１００について説明するが、光伝送装置２００についても同様である。
【００２６】
光伝送装置１００の制御部は、光伝送装置１００が起動して動作を開始すると、Ｓ２０１に処理を進める。Ｓ２０１で、制御部は、リンク１，２における障害の発生を検出したか否かを判定する。具体的には、制御部は、リンク１，２に接続されたライン側Ｉ／Ｆ １１１，１１２が、受信用のリンク１５１ｂ，１５２ｂで伝送される受信信号光に基づいて障害の発生を検出したか否かを判定する。制御部は、障害の発生を検出したと判定した場合にはＳ２０３へ、検出していないと判定した場合にはＳ２０２へ処理を進める。
【００２７】
Ｓ２０２で、制御部は、ライン側Ｉ／Ｆ １１１，１１２によって、対向装置（光伝送装置２００）から障害検出情報を受信したか否かを判定する。制御部は、受信していないと判定した場合にはＳ２０１へ処理を進め、受信したと判定した場合にはＳ２０３へ処理を進める。
【００２８】
Ｓ２０３で、制御部は、Ｓ２０１及びＳ２０２における判定結果に基づいて、障害が発生したリンク（障害発生リンク）を特定する。なお、以下ではリンク１において障害が発生した場合を想定する。具体的には、Ｓ２０１においてライン側Ｉ／Ｆ １１１によって障害の発生を検出した場合、制御部は、ライン側Ｉ／Ｆ １１１に接続された受信用のリンク１５１ｂを、障害が発生したリンクとして特定する（受信側障害）。一方、Ｓ２０２においてライン側Ｉ／Ｆ １１１によって障害検出情報を受信した場合、制御部は、障害検出情報を受信した受信用のリンク１５１ｂと対をなす送信用のリンク１５１ａを、障害が発生したリンクとして特定する（送信側障害）。なお、送信側障害及び受信側障害のいずれの場合にも、制御部は、リンク１５１ａ及びリンク１５１ｂを含む、リンク１で障害が発生したと判定し、リンク１を障害が発生したリンクと特定する。
【００２９】
その後、制御部は、Ｓ２０４で、受信側障害が発生している場合には処理をＳ２０５に進め、送信側障害が発生している場合には処理をＳ２０６に進める。Ｓ２０５で、制御部は、障害が発生したリンクとして特定した受信用のリンク１５１ｂと対をなす送信用のリンク１５１ａを介して、障害検出情報を対向装置（光伝送装置２００）に送信し、処理をＳ２０６に進める。
【００３０】
Ｓ２０６及びＳ２０７で、制御部は、プロテクションのためのライン側Ｉ／Ｆの切り替えを実行する。具体的には、リンク１で送受信するライン信号に収容していたクライアント信号に対応するクライアント側Ｉ／Ｆ１０１からの接続を、ライン側Ｉ／Ｆ １１１からライン側Ｉ／Ｆ １１２に切り替えることで、当該クライアント信号を処理するライン側Ｉ／Ｆを切り替える処理を実行する。
【００３１】
まず、制御部は、リンク１で送受信するライン信号に収容していた、クライアント側Ｉ／Ｆ １０１に対応するクライアント信号が、リンク２で送受信するライン信号に収容可能となるように、ライン側Ｉ／Ｆ １１２の伝送速度（リンク２の伝送速度）を制御する。例えば、ライン側Ｉ／Ｆ １１２の伝送速度を、プロテクション後にライン側Ｉ／Ｆ １１２の伝送速度が送受信することになる各クライアント信号の伝送速度の総和以上の伝送速度に設定することにより、そのような制御が可能である。
【００３２】
上記の場合、伝送速度の総和は、リンク１における障害の発生の検出時に、リンク２（プロテクションリンク）で送受信するライン信号に収容されていたクライアント信号の伝送速度と、プロテクションによって当該ライン信号に新たに収容することが必要となるクライアント信号の伝送速度との総和として求められる。なお、クライアント信号の伝送速度は、対応するクライアント側Ｉ／Ｆがクライアント側の対向装置との間でクライアント信号を送受信する際の伝送速度に相当する。
【００３３】
ただし、上述の各クライアント信号の伝送速度の総和が、リンク２に対応するライン側Ｉ／Ｆ １１２で設定可能な、予め定められた最大伝送速度を上回る場合には、プロテクションのためのライン側Ｉ／Ｆの切り替えを行うことはできない。このような最大伝送速度は、光伝送装置の工場出荷時に予め初期値として設定される。
【００３４】
このため、制御部は、Ｓ２０６で、プロテクションのためのライン側Ｉ／Ｆの切り替えが可能か否かを判定する。ここで、リンク２（プロテクションリンク）に対応するライン側Ｉ／Ｆ １１２が送受信するライン信号に収容されることになる各クライアント信号の伝送速度（クライアント側Ｉ／Ｆの伝送速度）をＩＦclient(ｍ)（ｍ：クライアント側Ｉ／Ｆの番号）、ライン側Ｉ／Ｆ １１２の最大伝送速度をＩＦmaxとする。Ｓ２０６で、制御部は、
ＩＦmax ≧（ＩＦclient(ｍ) の総和）      （１）
が満たされる場合、ライン側Ｉ／Ｆの切り替えが可能である判定し、処理をＳ２０７に進める。それ以外の場合、制御部は、ライン側Ｉ／Ｆの切り替えが不可能である判定し、処理をＳ２０９に進める。Ｓ２０９で、制御部は、ライン側Ｉ／Ｆ １１２の伝送容量が不足していることを示す警報を外部に出力し、処理を終了する。
【００３５】
また、Ｓ２０７で、制御部は、プロテクションのためのライン側Ｉ／Ｆの切り替えを行う。具体的には、ライン側Ｉ／Ｆ １１２で送受信するライン信号にクライアント信号が収容されるよう、ライン側Ｉ／Ｆ １１１からライン側Ｉ／Ｆ １１２へ、クライアント信号を処理するライン側Ｉ／Ｆの切り替えを行う。これにより、ライン信号に収容されてクライアント信号が伝送されるリンクが、Ｓ２０３で障害が発生したリンクとして特定したリンク１からリンク２に切り替わる。なお、制御部は、Ｓ２０７における切り替えを、ライン側Ｉ／Ｆ１１１が有する受信Ｉ／Ｆ及び送信Ｉ／Ｆ（図示せず）の両方について実行する。その後、制御部は処理をＳ２０８に進める。
【００３６】
Ｓ２０８で、制御部は、プロテクションリンク（リンク２）の通信を確立できたか否かを判定する。制御部は、通信を確立できたと判定した場合、処理をＳ２０１に戻し、確立できないと判定した場合、処理をＳ２０９に進める。Ｓ２０９では、制御部は、プロテクションリンク（リンク２）における通信の確立が不可能であることを示す警報を外部に出力し、処理を終了する。
【００３７】
以下では、上述した実施形態に対する具体的な実施例として、図３及び図４を参照して、実施例１乃至３について説明する。実施例１乃至３では、光伝送路で障害が発生するパターンとして、リンク１における双方向のリンク１５１ａ，１５１ｂのうち、片方向のリンクで障害が発生する場合（実施例１及び２）、及び両方向のリンクで障害が発生する場合（実施例２）を想定している。なお、図３及び図４に示すステップ番号（Ｓ２０１等）は、図２に示すステップ番号と対応し、図２を用いて説明した処理と同様の処理が実行されることを示している。
【００３８】
［実施例１］
実施例１では、図３を参照しながら、リンク１における、光伝送装置１００から光伝送装置２００への方向の通信を行う、片方向の光リンク（リンク１５１ａ）に障害が発生した場合の、光伝送装置２００のプロテクション動作について説明する。本実施例では、図３に示すように、光伝送路上で、リンク１５１ａに障害３００が発生している。この場合、光伝送装置２００は以下のように動作する。
【００３９】
光伝送装置２００の制御部は、リンク１，２を介して光伝送装置１００と通信可能な状態において、リンク１５１ａを介した光伝送装置１００からの受信信号光に基づいて、リンク１における障害の発生を検出する（Ｓ２０１）。受信信号光に基づいて障害の発生を検出したことに応じて、制御部は、障害が発生したリンクをリンク１と特定する（Ｓ２０３）。この場合、制御部は、障害の発生を検出したリンク１５１ａと対をなすリンク１５１ｂを介して、障害検出情報を対向装置（光伝送装置１００）に送信する（Ｓ２０４，Ｓ２０５）。
【００４０】
次に、光伝送装置２００の制御部は、プロテクションのためのライン側Ｉ／Ｆの切り替えを実行する（Ｓ２０６，Ｓ２０７）。ここでは、式（１）が満たされるものとする。具体的には、制御部は、ライン側Ｉ／Ｆ ２１２の伝送速度を、クライアント側Ｉ／Ｆ ２０１，２０２で送受信する各クライアント信号の伝送速度の総和以上で、かつ、ライン側Ｉ／Ｆ ２１２の最大伝送速度以下の伝送速度に設定する。更に、制御部は、リンク１で送受信するライン信号に収容していたクライアント信号に対応するクライアント側Ｉ／Ｆ ２０１からの接続を、ライン側Ｉ／Ｆ ２１１からライン側Ｉ／Ｆ ２１２に切り替える。
【００４１】
その後、光伝送装置２００の制御部は、リンク２において光伝送装置１００との間で通信を確立する（Ｓ２０８）。
【００４２】
［実施例２］
実施例２では、再び図３を参照しながら、リンク１における、光伝送装置１００から光伝送装置２００への方向の通信を行う、片方向の光リンク（リンク１５１ａ）に障害が発生した場合の、光伝送装置１００のプロテクション動作について説明する。本実施例では、図３に示すように、光伝送路上で、リンク１５１ａに障害３００が発生している。この場合、光伝送装置１００は以下のように動作する。
【００４３】
光伝送装置１００の制御部は、リンク１，２を介して光伝送装置２００と通信可能な状態において、リンク１５１ａにおいて障害３００が発生した場合、リンク１における障害の発生を自発的に検出することはできない。しかし、実施例１で説明したように、光伝送装置１００の制御部は、光伝送装置２００からリンク１５１ｂを介して受信された障害検出情報に基づいて、リンク１における障害の発生を検出することが可能である（Ｓ２０２，Ｓ２０３）。
【００４４】
次に、光伝送装置１００の制御部は、プロテクションのためのライン側Ｉ／Ｆの切り替えを実行する（Ｓ２０６，Ｓ２０７）。ここでは、式（１）が満たされるものとする。具体的には、制御部は、ライン側Ｉ／Ｆ １１２の伝送速度を、クライアント側Ｉ／Ｆ １０１，１０２で送受信する各クライアント信号の伝送速度の総和以上で、かつ、ライン側Ｉ／Ｆ １１２の最大伝送速度以下の伝送速度に設定する。更に、制御部は、リンク１で送受信するライン信号に収容していたクライアント信号に対応するクライアント側Ｉ／Ｆ １０１からの接続を、ライン側Ｉ／Ｆ １１１からライン側Ｉ／Ｆ １１２に切り替える。
【００４５】
その後、光伝送装置１００の制御部は、リンク２において光伝送装置２００との間で通信を確立する（Ｓ２０８）。
【００４６】
［実施例３］
実施例３では、図４を参照しながら、リンク１における、光伝送装置１００と光伝送装置２００との間の双方向の光リンク（リンク１５１ａ，１５１ｂ）に障害が同時に発生した場合の、光伝送装置１００，２００のプロテクション動作について説明する。本実施例では、図４に示すように、光伝送路上で、リンク１５１ａ，１５１ｂに障害４００が発生している。この場合、光伝送装置１００，２００は以下のように動作する。
【００４７】
（光伝送装置２００の動作）
実施例１で説明した動作と同様である。
【００４８】
（光伝送装置１００の動作）
光伝送装置１００の制御部は、リンク１，２を介して光伝送装置１００と通信可能な状態において、リンク１５１ｂを介した光伝送装置２００からの受信信号光に基づいて、リンク１における障害の発生を検出する（Ｓ２０１）。受信信号光に基づいて障害の発生を検出したことに応じて、制御部は、障害が発生したリンクをリンク１と特定する（Ｓ２０３）。この場合、制御部は、障害の発生を検出したリンク１５１ｂと対をなすリンク１５１ａを介して、障害検出情報を対向装置（光伝送装置２００）に送信する（Ｓ２０４，Ｓ２０５）。ただし、障害４００に起因して、光伝送装置１００，２００の双方から送信された障害検出情報が、対向装置で受信されることはない。
【００４９】
次に、光伝送装置１００の制御部は、プロテクションのためのライン側Ｉ／Ｆの切り替えを実行する（Ｓ２０６，Ｓ２０７）。ここでは、式（１）が満たされるものとする。具体的には、制御部は、ライン側Ｉ／Ｆ １１２の伝送速度を、クライアント側Ｉ／Ｆ １０１，１０２で送受信する各クライアント信号の伝送速度の総和以上で、かつ、ライン側Ｉ／Ｆ １１２の最大伝送速度以下の伝送速度に設定する。更に、制御部は、リンク１で送受信するライン信号に収容していたクライアント信号に対応するクライアント側Ｉ／Ｆ １０１からの接続を、ライン側Ｉ／Ｆ １１１からライン側Ｉ／Ｆ １１２に切り替える。
【００５０】
その後、光伝送装置１００の制御部は、リンク２において光伝送装置２００との間で通信を確立する（Ｓ２０８）。
【００５１】
以上説明したように、上述の種々の実施形態（実施例）では、光伝送装置において、プロテクションの対象となるリンクで伝送するライン信号に収容されているクライアント信号が、プロテクションリンクとして用いるリンクで伝送するライン信号に収容されるよう、ライン側Ｉ／Ｆの伝送速度を制御する。これにより、プロテクション動作の際にプロテクションリンクに対応するライン側Ｉ／Ｆの伝送速度を適切に制御して、所望のリンクを確実にプロテクションすることが可能になる。更に、光伝送装置が有するいずれかのリンクをプロテクションリンクとして共有可能であるため、リンクの利用効率を向上させることが可能である。
【００５２】
なお、上述の種々の実施形態（実施例）では、光伝送装置１００，２００の構成として、クライアント側Ｉ／Ｆ、ライン側Ｉ／Ｆを２個ずつ備える場合について説明している。しかし、本発明は、クライアント側Ｉ／Ｆ、ライン側Ｉ／Ｆをそれぞれ３個以上備える光伝送装置に対しても、上述の実施形態と同様に適用可能である。
【図１】
2014199994.tif 000003
【図２】
2014199994.tif 000004
【図３】
2014199994.tif 000005
【図４】
2014199994.tif 000006